(57)【要約】【課題】地図に重ねて表示されるメッシュについて雨または雪を直感的に判別できる情報処理システムを提供する。【解決手段】情報処理システムは、地図を取得する地図取得手段と、前記地図に係る気象情報を取得する気象情報取得手段と、前記気象情報に基づいて、降水量を示す領域と雨雪判別領域とが設けられたメッシュを前記地図上に重ねて表示する表示制御手段と、を備える。【選択図】  図２
2018097006.tif 000002
【特許請求の範囲】
【請求項１】
地図を取得する地図取得手段と、
前記地図に係る気象情報を取得する気象情報取得手段と、
前記気象情報に基づいて、降水量を示す領域と雨雪判別領域とが設けられたメッシュを前記地図上に重ねて表示する表示制御手段と、
を備えた情報処理システム。
【請求項２】
前記表示制御手段は、雨雪判別領域の有無または雨雪判別領域の色で雨または雪を判別する、請求項１に記載の情報処理システム。
【請求項３】
前記表示制御手段は、鳥瞰図表示の場合には、３次元メッシュの側面に設けられた雨雪判別領域で雨または雪を判別する、請求項１または２に記載の情報処理システム。
【請求項４】
前記表示制御手段は、鳥瞰図表示の場合には、雪に係る３次元メッシュを積雪量に応じた高さで表示する、請求項１〜３のいずれかに記載の情報処理システム。
【請求項５】
コンピュータを、
地図を取得する地図取得手段、
前記地図に係る気象情報を取得する気象情報取得手段、
前記気象情報に基づいて、降水量を示す領域と雨雪判別領域とが設けられたメッシュを前記地図上に重ねて表示する表示制御手段、
として機能させる情報処理プログラム。
【請求項６】
通信可能に接続された複数のコンピュータによって構成される情報処理システムであって、
地図を取得する地図取得手段と、
前記地図に係る気象情報を取得する気象情報取得手段と、
前記気象情報に基づいて、降水量を示す領域と雨雪判別領域とが設けられたメッシュを前記地図上に重ねて表示する表示制御手段と、
を備えた情報処理システムを機能させるために、
上記コンピュータの少なくとも１つを上記手段の少なくとも１つとして機能させるための情報処理プログラム。
【請求項７】
通信可能に接続された複数のコンピュータによって、
地図を取得する地図取得手段と、
前記地図に係る気象情報を取得する気象情報取得手段と、
前記気象情報に基づいて、降水量を示す領域と雨雪判別領域とが設けられたメッシュを前記地図上に重ねて表示する表示制御手段と、
を備えた情報処理システムを構成するために、
上記手段の少なくとも１つを備えた情報処理装置。
【請求項８】
地図取得手段が、地図を取得するステップと、
気象情報取得手段が、前記地図に係る気象情報を取得するステップと、
表示制御手段が、前記気象情報に基づいて、降水量を示す領域と雨雪判別領域とが設けられたメッシュを前記地図上に重ねて表示するステップと、
を備えた情報処理方法。
【発明の詳細な説明】
【技術分野】
【０００１】
本発明は、情報処理システム、情報処理プログラム、情報処理装置および情報処理方法に関する。
【背景技術】
【０００２】
従来から、降雨量を示す配色と降雪量を示す配色とをそれぞれ別個に定めておき、気象情報に基づいて、気象ごとの配色で塗りつぶされたメッシュを地図上に重ねて表示する技術が知られている（たとえば、特許文献１）。
【先行技術文献】
【特許文献】
【０００３】
【特許文献１】特開２０１０−７８７８３号公報
【発明の概要】
【発明が解決しようとする課題】
【０００４】
しかしながら、従来の技術では、気象の区別を配色で表現していることから、色の種類が多く、どの色がどの気象を表しているのかを判断するためには、たとえば地図とは別に表示される凡例の中の色と照らし合わせる必要があり、直感的に判断することができない。
【０００５】
本発明は、以上のような点を考慮してなされたものである。本発明の目的は、地図に重ねて表示されるメッシュについて雨または雪を直感的に判別できる情報処理システム、情報処理プログラム、情報処理装置および情報処理方法を提供することにある。
【課題を解決するための手段】
【０００６】
本発明に係る情報処理システムは、
地図を取得する地図取得手段と、
前記地図に係る気象情報を取得する気象情報取得手段と、
前記気象情報に基づいて、降水量を示す領域と雨雪判別領域とが設けられたメッシュを前記地図上に重ねて表示する表示制御手段と、
を備える。
【発明の効果】
【０００７】
本発明によれば、地図に重ねて表示されるメッシュについて雨または雪を直感的に判別できる。
【図面の簡単な説明】
【０００８】
【図１】図１は、一実施の形態に係る情報処理システムの概略的な構成を示す図である。
【図２】図２は、一実施の形態に係る情報処理システムの動作の一例を示すフローチャートである。
【図３】図３は、地図取得部により取得される地図の一例を示す概略図である。
【図４】図４は、雨のメッシュの一例を示す概略図である。
【図５】図５は、雪のメッシュの一例を示す概略図である。
【図６】図６は、雨および雪のメッシュが連続して配置された状態を説明するための図である。
【図７】図７は、雪のメッシュの第１変形例を示す概略図である。
【図８】図８は、雪のメッシュの第２変形例を示す概略図である。
【図９Ａ】図９Ａは、図７に示すメッシュの描画の一例を説明するための図である。
【図９Ｂ】図９Ｂは、図７に示すメッシュの描画の別の一例を説明するための図である。
【図１０Ａ】図１０Ａは、図７に示すメッシュの描画の別の一例を説明するための図である。
【図１０Ｂ】図１０Ｂは、図７に示すメッシュの描画の別の一例を説明するための図である。
【図１１】図１１は、図８に示すメッシュの描画の一例を説明するための図である。
【図１２】図１２は、一実施の形態に係る情報処理システムにより表示される画面の一例を示す図である。
【図１３】図１３は、一実施の形態の第１の変形例に係る情報処理システムの動作の一例を示すフローチャートである。
【図１４】図１４は、一実施の形態の第１の変形例に係る情報処理システムにより表示される画面の一例を示す図である。
【図１５】図１５は、一実施の形態の第２の変形例に係る情報処理システムの動作の一例を示すフローチャートである。
【図１６】図１６は、一実施の形態の第２の変形例に係る情報処理システムにより表示される画面の一例を示す図である。
【図１７】図１７は、一実施の形態の第２の変形例に係る情報処理システムにより表示される画面の一例を示す図である。
【図１８】図１８は、一実施の形態の第２の変形例に係る情報処理システムにより表示される画面の一例を示す図である。
【図１９】図１９は、一実施の形態の第３の変形例に係る情報処理システムの動作の一例を示すフローチャートである。
【図２０】図２０は、雪用タイルと雨用タイルの一例を示す図である。
【発明を実施するための形態】
【０００９】
以下に、添付の図面を参照して、本発明の実施の形態を詳細に説明する。なお、各図において同等の機能を有する構成要素には同一の符号を付し、同一符号の構成要素の詳しい説明は繰り返さない。
【００１０】
（第１の実施形態）
第１の実施形態に係る情報処理システムについて説明する。図１は、第１の実施形態に係る情報処理システム１の概略的な構成を示す図である。
【００１１】
図１に示すように、情報処理システム１は、端末装置２と、サーバ３とを備えている。端末装置２とサーバ３とは、インターネット等のネットワーク４を介して互いに通信可能に接続されている。ネットワーク４は、有線回線と無線回線のいずれでもよく、回線の種類や形態は問わない。なお、端末装置２およびサーバ３の少なくとも一部は、コンピュータにより実現される。
【００１２】
端末装置２は、ユーザが使用するものであり、たとえば、スマートフォンやタブレット端末などのモバイル端末、ノートブックコンピュータ、またはデスクトップコンピュータなどの電子機器である。
【００１３】
図１に示すように、端末装置２は、端末通信部２１と、端末制御部２２と、端末記憶部２３と、端末入力部２４と、表示手段の一例である端末表示部２５とを有している。各部は、バスを介して互いに通信可能に接続されている。まず、端末装置２の構成要素のうち、端末制御部２２以外の構成要素、すなわち、端末通信部２１、端末記憶部２３、端末入力部２４および端末表示部２５について説明する。
【００１４】
端末通信部２１は、端末装置２とネットワーク４との間の通信インターフェースである。端末通信部２１は、ネットワーク４を介して端末装置２とサーバ３との間で情報を送受信する。
【００１５】
端末記憶部２３は、たとえば内蔵メモリや外部メモリ（ＳＤメモリカード等）などのデータストレージである。端末記憶部２３には、端末制御部２２が取り扱う各種データが記憶される。端末記憶部２３は、必ずしも端末装置２内に設けられていなくてもよく、ネットワーク４を介して端末装置２と通信可能に接続された別の装置内に設けられていてもよい。
【００１６】
端末入力部２４は、ユーザが端末装置２に情報を入力するためのインターフェースであり、たとえばモバイル端末におけるタッチパネル、ノートブックコンピュータにおけるタッチパッド、キーボードまたはマウスなどである。
【００１７】
端末表示部２５は、端末装置２からユーザに対して各種情報を出力するインターフェースであり、たとえば液晶ディスプレイ等の映像表示手段である。具体的には、たとえば、端末表示部２５は、ユーザからの操作を受け付けるためのＧＵＩ（Ｇｒａｐｈｉｃａｌ  Ｕｓｅｒ  Ｉｎｔｅｒｆａｃｅ）を表示する。
【００１８】
次に、端末制御部２２について説明する。端末制御部２２は、図１に示すように、表示すべき地域を特定する位置取得部２２ａを有している。位置取得部２２ａは、端末装置２内のプロセッサが所定のプログラムを実行することにより実現されてもよい。
【００１９】
位置取得部２２ａは、表示すべき地域として、端末装置２のユーザの現在位置情報を取得する。位置取得部２２ａは、たとえば、ＧＰＳ、ビーコンなどの電波航法手段による測位情報に基づいて現在位置を所定周期ごと（たとえば、１秒ごとなど）に測位して取得してもよい。また、位置取得部２２ａは、ユーザにより端末入力部２４を介して入力された現在位置についての位置座標やアドレスなどを、端末装置２のユーザの現在位置情報として取得してもよい。ここで、ユーザにより端末入力部２４を介して入力された現在位置は、ユーザが現実に存在する位置であってもよく、ユーザにより任意に選択された仮想の現在位置（一例として、東京にいるユーザにより選択された大阪の駅や空港などの任意の地点）であってもよい。具体的には、位置取得部２２ａは、端末表示部２５に表示された地図データの表示画面上で端末入力部２４を介してユーザに指定（たとえば、タッチパネル式の表示部でのタッチ操作など）させた座標を、端末装置２のユーザの現在位置情報として取得してもよい。ここで、位置取得部２２ａは、ユーザの現在位置情報とともに、当該現在位置情報を取得した日時情報を取得してもよい。
【００２０】
端末制御部２２は、位置取得部２２ａにより取得されたユーザの現在位置情報を、端末通信部２１を通じてサーバ３に送信する。端末装置２から送信されたユーザの現在位置情報は、サーバ３に記憶される。
【００２１】
次に、サーバ３について説明する。図１に示すように、サーバ３は、サーバ通信部３１と、サーバ制御部３２と、サーバ記憶部３３とを有している。各部は、バスを介して互いに通信可能に接続されている。
【００２２】
このうちサーバ通信部３１は、サーバ３とネットワーク４との間の通信インターフェースである。サーバ通信部３１は、ネットワーク４を介して端末装置２とサーバ３との間で情報を送受信する。なお、図１に示すように、外部システム５がネットワーク４に接続されている場合には、サーバ通信部３１は、ネットワーク４を介して外部システム５とサーバとの間で情報を送受信してもよい。
【００２３】
サーバ制御部３２は、地図取得手段の一例である地図取得部３２ａと、気象情報取得手段の一例である気象情報取得部３２ｂと、表示制御手段の一例である表示制御部３２ｃとを有している。これらの各部は、サーバ３内のプロセッサが所定のプログラムを実行することにより実現されてもよい。これらの各部については、後述する。
【００２４】
サーバ記憶部３３は、たとえばハードディスク等の固定型データストレージである。サーバ記憶部３３には、サーバ制御部３２が取り扱う各種データが記憶される。たとえば、サーバ記憶部３３には、地図データベースと気象情報データベースとが記憶される。
【００２５】
地図データベースは、地図データを記憶する地図データ記憶手段である。地図データベースに記憶される地図データは、全国および各地方の道路地図や路線図等の地図データであってもよい。たとえば、地図データベースに記憶される地図データは、地図上に表示される地物（たとえば、ビルや住宅や駅など建造物、道路、線路、橋、トンネル、等高線、海岸線や湖岸線などの水涯線、海、河川、湖、池、沼、公園や屋外施設等の地、行政界、行政区画、および、街区など）の形状についての形状データ、地図上に表示される注記（たとえば、地名、住所、電話番号、店や公園や駅などの施設名称、名所や旧跡や河川や湖や湾や山や森林などの俗称を含む名称、道路や橋やトンネルなどの名称、路線名称、地点情報、および、口コミ情報など）についての注記データ、および、地図上に表示される記号（たとえば、山、史跡、寺社、学校、病院、工場および墓地などの地図機構、ガソリンスタンド、コンビニエンスストア、スーパーマーケット、レストラン、銀行および郵便局などの店舗記号、道路上の信号、有料道路の出入口、料金所、サービスエリア、パーキングエリアおよびインターチェンジなどの記号、駐車場、駅、ホテル、美術館および博物館などの施設器具、ならびに口コミ地点記号など）の記号データなどのデータを含んでいてもよい。
【００２６】
ここで、地図データは、縮尺に従ってメッシュ化された地図データ（たとえば、ＪＩＳ規格の第１〜３次地域区画メッシュデータ、および、１００ｍメッシュデータなど）であってもよい。メッシュの形状は正方形や長方形（矩形）に限らず、三角形や五角形、六角形などの多角形などでもよい。また、地図データは、ラスタ形式、ベクタ形式などの地図描画用の画像データであってもよい。これらの地図データは、地図データベースに予め記憶されており、サーバ制御部３２は、ネットワーク４を介して最新のデータを、外部システム５（地図データを提供する地図提供サーバなどの外部機器など）から定期的にダウンロードして、地図データベースに記憶された地図データをアップデートしてもよい。
【００２７】
気象情報データベースは、各地域および各時間帯の降水量情報および降水タイプ（雨または雪）を含む気象情報を記憶する気象情報記憶手段である。ここで、気象情報データベースに記憶される降水量情報および降水タイプは、地域および時間帯に対応付けて降水量および降水タイプを格納した情報であり、現在値、実績値および予測値のうち１つまたは２つ以上を含んでいてもよい。たとえば、予測値としての降水量情報および降水タイプは、将来の時間の経過により変化する地域ごとの降水量および降水タイプの情報である。このほか、気象情報データベースに記憶される気象情報は、天気、気温、体感温度、湿度、降水確率、風、紫外線、光化学スモッグおよび黄砂飛散量などの大気汚染、花粉飛散量、気象注意報、ならびに、気象警報についての情報を含んでいてもよい。
【００２８】
これらの気象情報は、気象情報データベースに予め記憶されており、サーバ制御部３２は、ネットワーク４を介して最新のデータを、外部システム５（たとえば、気象庁や民間気象サービス等のサーバなど）から定期的にダウンロードして、気象データベースに記憶された気象情報をアップデートしてもよい。
【００２９】
なお、一例として、気象庁や民間気象サービス等のサーバなどの外部システム５が提供する降水量および降水タイプに関するデータは、各地域と各時間帯における降水量および降水タイプを示す表形式のデータや、文章形式のデータや、グラフ化されたデータ、グラフ元のデータなどであるが、サーバ制御部３２は、これらのデータを外部システム５からダウンロードして加工し、メッシュ単位やエリア単位での降水量および降水タイプに換算したものを、降水量および降水タイプの情報として気象情報データベースに格納してもよい。また、外部システム５が提供する降水量および降水タイプのデータが、代表地点（観測地点のある場所など）における降水量情報のデータである場合に、公知のデータ補完手法や内挿法によって算出して、気象情報データベースに記憶してもよい。
【００３０】
また、図１に示すように、サーバ記憶部３３には、降水量領域表示情報３３ａと、雨雪判別領域表示情報３３ｂとが予め記憶されている。
【００３１】
降水量領域表示情報３３ａとは、地図の各メッシュに降水量領域を表示するための情報であり、たとえば、降水量と配色との対応関係を規定する表である。具体的には、たとえば、降水量が１ｍｍ未満の場合には「水色」、１ｍｍ〜５ｍｍの場合には「青」、５ｍｍ〜１５ｍｍの場合には「濃紺」、１５ｍｍ〜３０ｍｍの場合には「黄色」、３０ｍｍ〜５０ｍｍの場合には「オレンジ」、５０ｍｍより大きい場合には「赤」の色がそれぞれ対応付けられる。なお、同系色であって階調（濃淡）が異なる色は、ユーザが見て直ちに判別できる色であれば、互いに異なる色として対応付けに利用されてもよい。
【００３２】
雨雪判別領域表示情報３３ｂとは、地図の各メッシュに雨雪判別領域を表示するための情報であり、たとえば、降水タイプが雪の場合にはメッシュに雨雪判別領域を表示するが、降水タイプが雨の場合にはメッシュに雨雪判別領域を表示しないという条件を表す情報である。
【００３３】
なお、サーバ記憶部３３は、必ずしもサーバ３内に設けられなくてもよく、ネットワーク４を介してサーバ３と通信可能に接続された別の装置内に設けられてもよい。
（動作の一例）
【００３４】
次に、このような構成からなる情報処理システム１の動作の一例について、図２〜図１２を参照して説明する。図２は、情報処理システム１の動作の一例を示すフローチャートである。
【００３５】
まず、図２に示すように、サーバ制御部３２は、端末装置２の位置取得部２２ａにより取得されるユーザの現在位置情報を、端末装置２から取得する（ステップＳ１０）。
【００３６】
地図取得部３２ａは、サーバ記憶部３３に記憶された地図データベースに基づいて、端末装置２から取得した現在位置情報に係る地図データを取得する（ステップＳ１１）。たとえば、地図取得部３２ａは、図３に示すように、端末装置２から取得した現在位置の位置座標を中心とする、所定の大きさの区画（メッシュ）１０で区切られた地図データを取得する。
【００３７】
気象情報取得部３２ｂは、サーバ記憶部３３に記憶された気象情報データベースに基づいて、地図取得部３２ａにより取得された地図に係る気象情報を取得する（ステップＳ１２）。気象情報には、降水量および降水量に紐づいている降水タイプが含まれる。気象情報は、現在値、実績値および予測値のうち１つまたは２つ以上を含んでいてもよい。気象情報取得部３２ｂは、メッシュ１０ごとに気象情報を取得してもよいし、まとめて取得した気象情報をメッシュ１０ごとに整理してもよい。
【００３８】
表示制御部３２ｃは、地図取得部３２ａにより取得された地図の中に、気象情報との対応付けを未だ試みられていないメッシュ１０（後述するステップＳ１４で抽出されていないメッシュ１０）があるか否かを判断する（ステップＳ１３）。
【００３９】
気象情報との対応付けを未だ試みられていないメッシュ１０があると判断された場合には（ステップＳ１３：ＹＥＳ）、表示制御部３３ｃは、気象情報との対応付けを未だ試みられていないメッシュ１０を１つ新たに抽出する（ステップＳ１４）。
【００４０】
そして、表示制御部３２ｃは、気象情報取得部３２ｂにより取得された気象情報に基づいて、サーバ記憶部３３に記憶された降水量領域表示情報３３ａに従って、抽出されたメッシュ１０に対して降水量に応じた配色で、降水量領域１１を表示する（ステップＳ１５）。図４に示す例では、表示制御部３２ｃは、メッシュ１０の全面を降水量に応じた配色で塗りつぶすことにより、降水量領域１１を表示する。降水量領域１１および後述する雨雪判別領域１２の形状は、メッシュ１０の形状と同様に、正方形や長方形（矩形）であってもよいし、三角形や五角形、六角形などの多角形などであってもよい。なお、抽出されたメッシュ１０の気象情報が気象情報取得部３２ｂにより取得されなかった場合には、表示制御部３２ｃは、当該メッシュ１０には何も表示しない。
【００４１】
次に、表示制御部３２ｃは、抽出されたメッシュ１０について、気象情報取得部３２ｂにより取得された降水タイプが雪であるか否かを判断する（ステップＳ１６）。
【００４２】
降水タイプが雪であると判断された場合には（ステップＳ１６：ＹＥＳ）、表示制御部３２ｃは、サーバ記憶部３３に記憶された雨雪判別領域表示情報３３ｂに従って、抽出されたメッシュ１０に対して雨雪判別領域１２を表示する（ステップＳ１６）。図５に示す例では、表示制御部３２ｃは、降水量領域１１の少なくとも一部を取り囲むように、メッシュ１０の内側および外側の両方に、降水量領域１１とは異なる予め定められた配色で雨雪判別領域１２を表示する。その後、表示制御部３２ｃは、ステップＳ１３に処理を戻す。
【００４３】
一方、降水タイプが雨であると判断された場合には（ステップＳ１６：ＮＯ）、表示制御部３２ｃは、サーバ記憶部３３に記憶された雨雪判別領域表示情報３３ｂに従って、抽出されたメッシュ１０に対して雨雪判別領域１２を表示せずに、ステップＳ１３に処理を戻す。降水タイプが雨であると判断された場合（ステップＳ１６：ＮＯ）の他のバリエーションとして、表示制御部３２ｃは、サーバ記憶部３３に記憶された雨雪判別領域表示情報３３ｂに従って、（１）雨雪判別領域１２を配色せずに、抽出されたメッシュ１０に重ねて表示してもよいし、（２）雨雪判別領域１２を降水量に応じた配色（すなわち降水量領域１１と同じ配色）で、抽出されたメッシュ１０に重ねて表示してもよい。
【００４４】
図６は、降水タイプが雨であるメッシュ１０が隣り合って配置された状態、降水タイプが雪であるメッシュ１０が隣り合って配置された状態、降水タイプが雨であるメッシュ１０と雪であるメッシュ１０とが隣り合って配置された状態をそれぞれ示している。
【００４５】
なお、雨雪判別領域１２は、メッシュ１０の内側および外側の両方に設けられる態様に限定されない。雨雪判別領域１２は、降水量領域１１の外側、縁、外周に設けられてもよい。たとえば、図７に示すように、雨雪判別領域１２は、降水量領域１１の少なくとも一部を取り囲むように、メッシュ１０の内側のみに設けられてもよいし、図８に示すように、雨雪判別領域１２は、降水量領域１１の全面を取り囲むように、メッシュ１０の外側のみに設けられてもよい。
【００４６】
雨雪判別領域１２がメッシュ１０の内側のみに設けられる場合には、図９Ａに示すように、メッシュ１０の全面が降水量に応じた配色で塗りつぶされることにより、降水量領域１１が設けられた後で、降水量領域１１の一部に重なるようにメッシュ１０の内側のみに、全面が配色された雨雪判別領域１２が設けられてもよいし、図９Ｂに示すように、メッシュ１０の中央部分が降水量に応じた配色で塗りつぶされることにより、降水量領域１１が設けられた後で、降水量領域１１に重なることなくメッシュ１０の内側のみに、全面が配色された雨雪判別領域１２が設けられてもよい。あるいは、図１０Ａに示すように、メッシュ１０の全面が降水量に応じた配色で塗りつぶされることにより、降水量領域１１が設けられた後で、降水量領域１１の一部に重なるようにメッシュ１０の内側および外側に、一部分（メッシュ１０の内側部分）のみが配色された雨雪判別領域１２が設けられてもよいし、図１０Ｂに示すように、メッシュ１０の中央部分が降水量に応じた配色で塗りつぶされることにより、降水量領域１１が設けられた後で、降水量領域１１に重なることなくメッシュ１０の内側および外側に、一部分（メッシュ１０の内側部分）のみが配色された雨雪判別領域１２が設けられてもよい。なお、図９Ａおよび図１０Ａに示す態様では、メッシュ１０と降水量領域１１とが等しいが、図９Ｂおよび図１０Ｂに示す態様では、メッシュ１０の中央部分のみが降水量領域である。
【００４７】
また、雨雪判別領域１２がメッシュ１０の外側のみに設けられる場合には、図１１に示すように、メッシュ１０の全面が降水量に応じた配色で塗りつぶされることにより、降水量領域１１が設けられた後で、降水量領域１１の一部に重なるようにメッシュ１０の内側のみに雨雪判別領域１２が設けられてもよい。
【００４８】
気象情報との対応付けを未だ試みられていない各メッシュ１０についてステップＳ１４〜Ｓ１６の処理が実施されることにより、図１２に示すように、端末装置２の端末表示部２５において、降水量領域１１と雨雪判別領域１２とが設けられたメッシュ１０を地図上に重ねて表示する画面が表示される。
【００４９】
なお、サーバ制御部３２が、ユーザにより端末入力部２４（たとえば、端末表示部２５に表示されるＧＵＩのスライダ）を介して入力された時刻情報を、端末装置２から取得する場合には、表示制御部３２ｃは、端末装置２から取得した時刻情報に基づいて、降水量および降水タイプの現在値に応じた降水量領域１１および雨雪判別領域１２を表示してもよいし、降水量および降水タイプの実績値に応じた降水量領域１１および雨雪判別領域１２を表示してもよいし、降水量および降水タイプの予測値に応じた降水量領域１１および雨雪判別領域１２を表示してもよい。
【００５０】
ステップＳ１３に戻って、気象情報との対応付けを未だ試みられていないメッシュ１０が無いと判断された場合には（ステップＳ１３：ＮＯ）、サーバ制御部３２は、処理を終了する。
【００５１】
ところで、発明が解決しようとする課題の欄でも言及したように、従来の技術では、気象の区別を配色で表現していることから、色の種類が多く、どの色がどの気象を表しているのかを判断するためには、たとえば地図とは別に表示される凡例の中の色と照らし合わせる必要があり、直感的に判断することはできない。
【００５２】
これに対し、本実施の形態によれば、表示制御部３２ｃが降水量を示す領域１１と雨雪判別領域１２の両方が設けられたメッシュ１０を地図に重ねて表示するため、ユーザは、各メッシュ１０が雨または雪のどちらを表しているのかを、凡例を参照することなく直感的に判別できる。
【００５３】
（第１の変形例）
第１の変形例について、図１３および図１４を参照して説明する。図１３は、第１の変形例に係る情報処理システム１の動作の一例を示すフローチャートである。図１４は、第１の変形例に係る情報処理システム１により表示される画面の一例を示す図である。表示制御部３２ｃが、抽出されたメッシュ１０に対して降水量に応じた配色で降水量領域１１を表示するまでの工程（ステップＳ１０〜Ｓ１５）は、上述の実施の形態と同様であり、説明を省略する。
【００５４】
第１の変形例では、サーバ記憶部３３には、降水タイプが雪の場合にはメッシュ１０に降雪用の配色で雨雪判別領域１２を表示し、降水タイプが雨の場合にはメッシュ１０に降雪用の配色とは異なる降雨用の配色で雨雪判別領域１２を表示するという条件を表す情報が、雨雪判別領域表示情報３３ｂとして記憶されている。
【００５５】
図１３に示すように、第１の変形例では、抽出されたメッシュ１０に対して降水量に応じた配色で降水量領域１１を表示した後、表示制御部３２ｃは、当該抽出されたメッシュ１０について、気象情報取得部３２ｂにより取得された降水タイプが雪であるか否かを判断する（ステップＳ１６）。
【００５６】
降水タイプが雪であると判断された場合には（ステップＳ１６：ＹＥＳ）、表示制御部３２ｃは、サーバ記憶部３３に記憶された雨雪判別領域表示情報３３ｂに従って、抽出されたメッシュ１０に対して降雪用の配色で雨雪判別領域１２を表示する（ステップＳ１６）。表示制御部３２ｃは、図５に示すように、メッシュ１０の内側および外側の両方に、降雪用の配色で雨雪判別領域１２を表示してもよいし、図７に示すように、メッシュ１０の内側のみに、降雪用の配色で雨雪判別領域１２を表示してもよいし、図８に示すように、メッシュ１０の外側のみに、降雪用の配色で雨雪判別領域１２を表示してもよい。その後、表示制御部３２ｃは、ステップＳ１３に処理を戻す。
【００５７】
一方、降水タイプが雨であると判断された場合には（ステップＳ１６：ＮＯ）、表示制御部３２ｃは、サーバ記憶部３３に記憶された雨雪判別領域表示情報３３ｂに従って、抽出されたメッシュ１０に対して降雨用の配色で雨雪判別領域１２を表示する（ステップＳ１７）。表示制御部３２ｃは、図５に示すように、メッシュ１０の内側および外側の両方に、降雨用の配色で雨雪判別領域１２を表示してもよいし、図７に示すように、メッシュ１０の内側のみに、降雨用の配色で雨雪判別領域１２を表示してもよいし、図８に示すように、メッシュ１０の外側のみに、降雨用の配色で雨雪判別領域１２を表示してもよい。その後、表示制御部３２ｃは、ステップＳ１３に処理を戻す。
【００５８】
気象情報との対応付けを未だ試みられていない各メッシュ１０についてステップＳ１４〜Ｓ１７の処理が実施されることにより、図１４に示すように、端末装置２の端末表示部２５において、降水量領域１１と雨雪判別領域１２とが設けられたメッシュ１０を地図上に重ねて表示する画面が表示される。
【００５９】
以上のような第１の変形例によっても、上述の実施の形態と同様に、表示制御部３２ｃが降水量を示す領域１１と雨雪判別領域１２の両方が設けられたメッシュ１０を地図に重ねて表示するため、ユーザは、各メッシュ１０が雨または雪のどちらを表しているのかを、凡例を参照することなく直感的に判別できる。
【００６０】
なお、第１の変形例では、降水タイプが雪の場合と雨の場合とで雨雪判別領域１２が異なる配色で表示されたが、これに限定されない。たとえば、降水タイプが雪の場合と雨の場合とで雨雪判別領域１２が異なる形状（たとえば、雨雪判別領域１２の幅）で表示されてもよいし、降水タイプが雪の場合と雨の場合とで雨雪判別領域１２が異なる動作（たとえば、雪の場合のみ点滅表示）で表示されてもよい。
【００６１】
（第２の変形例）
第２の変形例について、図１５〜図１８を参照して説明する。図１５は、第２の変形例に係る情報処理システム１の動作の一例を示すフローチャートである。図１６〜図１８は、第２の変形例に係る情報処理システム１により表示される画面の一例を示す図である。
【００６２】
まず、図１５に示すように、サーバ制御部３２は、端末装置２の位置取得部２２ａにより取得されるユーザの現在位置情報を、端末装置２から取得する（ステップＳ２０）。ここで、サーバ制御部３２は、ユーザにより端末入力部２４を介して入力された鳥瞰図表示命令を、端末装置２から取得してもよい。
【００６３】
地図取得部３２ａは、サーバ記憶部３３に記憶された地図データベースに基づいて、端末装置２から取得した現在位置情報に係る鳥瞰図表示の地図データを取得する（ステップＳ２１）。たとえば、地図取得部３２ａは、端末装置２から取得した現在位置の位置座標を中心とする、所定の大きさの区画（メッシュ）１０で区切られた鳥瞰図表示の地図データを取得する。
【００６４】
気象情報取得部３２ｂは、サーバ記憶部３３に記憶された気象情報データベースに基づいて、地図取得部３２ａにより取得された地図に係る気象情報を取得する（ステップＳ２２）。気象情報には、降水量、降水量に紐づいている降水タイプ、降水タイプが雪の場合の積雪量が含まれる。気象情報取得部３２ｂは、メッシュ１０ごとに気象情報を取得してもよいし、まとめて取得した気象情報をメッシュ１０ごとに整理してもよい。
【００６５】
表示制御部３２ｃは、地図取得部３２ａにより取得された地図の中に、気象情報との対応付けを未だ試みられていないメッシュ１０（後述するステップＳ２４で抽出されていないメッシュ１０）があるか否かを判断する（ステップＳ２３）。
【００６６】
気象情報との対応付けを未だ試みられていないメッシュ１０があると判断された場合には（ステップＳ２３：ＹＥＳ）、表示制御部３３ｃは、気象情報との対応付けを未だ試みられていないメッシュ１０を１つ新たに抽出する（ステップＳ２４）。
【００６７】
そして、表示制御部３２ｃは、気象情報取得部３２ｂにより取得された気象情報に基づいて、サーバ記憶部３３に記憶された降水量領域表示情報３３ａに従って、抽出されたメッシュ１０に対して降水量に応じた配色で、降水量領域１１を表示する（ステップＳ２５）。たとえば、表示制御部３２ｃは、メッシュ１０の全面を降水量に応じた配色で塗りつぶすことにより、降水量領域１１を表示する。なお、抽出されたメッシュ１０の気象情報が気象情報取得部３２ｂにより取得されなかった場合には、表示制御部３２ｃは、当該メッシュ１０には何も表示しない。
【００６８】
次に、表示制御部３２ｃは、抽出されたメッシュ１０について、気象情報取得部３２ｂにより取得された降水タイプが雪であるか否かを判断する（ステップＳ２６）。
【００６９】
降水タイプが雪であった場合には（ステップＳ２６：ＹＥＳ）、表示制御部３２ｃは、サーバ記憶部３３に記憶された雨雪判別領域表示情報３３ｂに従って、抽出されたメッシュ１０に対して雨雪判別領域１２を表示する（ステップＳ２６）。たとえば、表示制御部３２ｃは、抽出された３次元メッシュ１０の上面および側面の両方の内側に、降水量領域１１とは異なる予め定められた配色で雨雪判別領域１２を表示する。
【００７０】
次に、表示制御部３２ｃは、気象情報取得部３２ｂにより取得された気象情報に基づいて、雨雪判別領域１２が設けられた３次元メッシュ１０を、積雪量に応じた高さで表示する（ステップＳ２７）。その後、表示制御部３２ｃは、ステップＳ２３に処理を戻す。
【００７１】
一方、降水タイプが雨であった場合には（ステップＳ２６：ＮＯ）、表示制御部３２ｃは、サーバ記憶部３３に記憶された雨雪判別領域表示情報３３ｂに従って、抽出されたメッシュ１０に対して雨雪判別領域１２を表示せずに、ステップＳ２３に処理を戻す。
【００７２】
気象情報との対応付けを未だ試みられていない各メッシュ１０についてステップＳ２４〜Ｓ２７の処理が実施されることにより、図１６に示すように、端末装置２の端末表示部２５において、降水量領域１１と雨雪判別領域１２とが設けられたメッシュ１０を地図上に重ねて表示する画面が表示される。
【００７３】
ステップＳ２３に戻って、気象情報との対応付けを未だ試みられていないメッシュ１０が無いと判断された場合には（ステップＳ２３：ＮＯ）、サーバ制御部３２は、処理を終了する。
【００７４】
第２の変形例によれば、表示制御部３２ｃが、雪に係る３次元メッシュ１０を積雪量に応じた高さで表示するため、ユーザは、各メッシュ１０が雨または雪のどちらを表しているのかを、雨は積もらないが雪は積もるという事実からの連想に基づいて、より直感的に判別することができる。
【００７５】
なお、第２の変形例において、サーバ制御部３２が、ユーザにより端末入力部２４を介して入力されたアニメーション表示命令を、端末装置２から取得する場合には、図１６〜図１８に示すように、表示制御部３２ｃは、時間の経過に従って、雪に係る３次元メッシュ１０のみ順に積み重なっていくように表示してもよい。このような態様によれば、ユーザは、各メッシュ１０が雨または雪のどちらを表しているのかを、雨は積もらないが雪は積もるという事実からの連想に基づいて、極めて直感的に判別することができる。
【００７６】
（第３の変形例）
第３の変形例について、図１９および図２０を参照して説明する。図１９は、第３の変形例に係る情報処理システム１の動作の一例を示すフローチャートである。図２０は、雪用タイル１０ａと雨用タイル１０ｂの一例を示す図である。図２に示す実施の形態ならびに第１および第２の変形例では、降水量領域１１とは別個の雨雪判別領域１２が降水量領域１１に重ねて表示されるのに対し、第３の変形例では、降水量領域１１と雨雪判別領域１２とが一体型のタイル１０ａ、１０ｂが表示されることを特徴とする。図１９において、表示制御部３２ｃが、気象情報との対応付けを未だ試みられていないメッシュ１０を１つ新たに抽出するまでの工程（ステップＳ１０〜Ｓ１４）は、図２に示す実施の形態と同様であり、説明を省略する。
【００７７】
第３の変形例では、サーバ記憶部３３には、図２０に示すように、雪用タイル１０ａと雨用タイル１０ｂとが記憶されている。雪用タイル１０ａは、降水量を示す降水量領域１１および雨雪を判別する雨雪判別領域１２の両方を有しており、雨用タイル１０ｂは、降水量領域１１のみを有している。そして、サーバ記憶部３３には、降水タイプが雪の場合にはメッシュ１０に雪用タイル１０ａを表示し、降水タイプが雨の場合にはメッシュ１０に雨用タイル１０ｂを表示するという条件を表す情報が、雨雪判別領域表示情報３３ｂとして記憶されている。
【００７８】
図１９に示すように、第３の変形例では、気象情報との対応付けを未だ試みられていないメッシュ１０を１つ新たに抽出した後、表示制御部３２ｃは、当該抽出されたメッシュ１０について、気象情報取得部３２ｂにより取得された降水タイプが雪であるか否かを判断する（ステップＳ３５）。
【００７９】
降水タイプが雪であると判断された場合には（ステップＳ３５：ＹＥＳ）、表示制御部３２ｃは、サーバ記憶部３３に記憶された雨雪判別領域表示情報３３ｂに従って、抽出されたメッシュ１０に対して雪用タイル１０ａを表示する（ステップＳ３６ａ）。
【００８０】
次いで、表示制御部３２ｃは、気象情報取得部３２ｂにより取得された気象情報に基づいて、サーバ記憶部３３に記憶された降水量領域表示情報３３ａに従って、雪用タイル１０ａが有する降水量領域１１を降水量に応じた配色で塗りつぶす（ステップＳ３７ａ）。降水タイプが雪であると判断された場合（ステップＳ３５：ＹＥＳ）の他のバリエーションとして、予め降水量領域１１が降水量に応じた配色で塗りつぶされた複数種類の雪用タイル１０ａが用意されて、サーバ記憶部３３に記憶されており、表示制御部３３ｃは、気象情報取得部３２ｂにより取得された気象情報に基づいて、取得した降水量に応じた雪用タイル１０ａをサーバ記憶部３３から取得してメッシュ１０に表示してもよい。その後、表示制御部３２ｃは、ステップＳ１３に処理を戻す。
【００８１】
一方、降水タイプが雨であると判断された場合には（ステップＳ３５：ＮＯ）、表示制御部３２ｃは、サーバ記憶部３３に記憶された雨雪判別領域表示情報３３ｂに従って、抽出されたメッシュ１０に対して雨用タイル１０ｂを表示する（ステップＳ３７ａ）。
【００８２】
次いで、表示制御部３２ｃは、気象情報取得部３２ｂにより取得された気象情報に基づいて、サーバ記憶部３３に記憶された降水量領域表示情報３３ａに従って、雨用タイル１０ｂが有する降水量領域１１を降水量に応じた配色で塗りつぶす（ステップＳ３７ｂ）。降水タイプが雨であると判断された場合（ステップＳ３５：ＮＯ）の他のバリエーションとして、予め降水量領域１１が降水量に応じた配色で塗りつぶされた複数種類の雨用タイル１０ｂが用意されて、サーバ記憶部３３に記憶されており、表示制御部３３ｃは、気象情報取得部３２ｂにより取得された気象情報に基づいて、取得した降水量に応じた雪用タイル１０ｂをサーバ記憶部３３から取得してメッシュ１０に表示してもよい。その後、表示制御部３２ｃは、ステップＳ１３に処理を戻す。
【００８３】
気象情報との対応付けを未だ試みられていない各メッシュ１０についてステップＳ１４〜Ｓ３７ａまたはＳ１４〜Ｓ３７ｂの処理が実施されることにより、端末装置２の端末表示部２５において、降水量領域１１と雨雪判別領域１２とが設けられたメッシュ１０を地図上に重ねて表示する画面が表示される（図１２参照）。
【００８４】
以上のような第３の変形例によっても、図２に示す実施の形態と同様に、表示制御部３２ｃが降水量を示す領域１１と雨雪判別領域１２の両方が設けられたメッシュ１０を地図に重ねて表示するため、ユーザは、各メッシュ１０が雨または雪のどちらを表しているのかを、凡例を参照することなく直感的に判別できる。  
【００８５】
なお、上述した実施形態で説明した情報処理システム１の少なくとも一部は、ハードウェアで構成してもよいし、ソフトウェアで構成してもよい。ハードウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００８６】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００８７】
さらに、一つまたは複数の情報処理装置によって情報処理システム１を機能させてもよい。複数の情報処理装置を用いる場合、情報処理装置のうちの１つをコンピュータとし、当該コンピュータが所定のプログラムを実行することにより情報処理システム１の少なくとも１つの手段として機能が実現されてもよい。
【００８８】
また、方法の発明においては、全ての工程（ステップ）をコンピュータによって自動制御で実現するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【００８９】
上記の記載に基づいて、当業者であれば、本発明の追加の効果や様々の変形を想到できるかもしれないが、本発明の態様は、上述した個々の実施形態に限定されるものではない。特許請求の範囲に規定された内容およびその均等物から導き出される本発明の概念的な思想と趣旨を逸脱しない範囲で種々の追加、変更および部分的削除が可能である。
【符号の説明】
【００９０】
１      情報処理システム
１０    メッシュ
１０ａ  雪用タイル
１０ｂ  雨用タイル
１１    降水量を示す領域（降水量領域）
１２    雨雪判別領域
２      端末装置
２１    端末通信部
２２    端末制御部
２２ａ  位置取得部
２３    端末記憶部
２４    端末入力部
２５    端末出力部
３      サーバ
３１    サーバ通信部
３２    サーバ制御部
３２ａ  地図取得部
３２ｂ  気象情報取得部
３２ｃ  表示制御部
３３    サーバ記憶部
３３ａ  降水量領域表示情報
３３ｂ  雨雪判別領域表示情報
４      ネットワーク
５      外部システム
【図１】
2018097006.tif 000003
【図２】
2018097006.tif 000004
【図３】
2018097006.tif 000005
【図４】
2018097006.tif 000006
【図５】
2018097006.tif 000007
【図６】
2018097006.tif 000008
【図７】
2018097006.tif 000009
【図８】
2018097006.tif 000010
【図９Ａ】
2018097006.tif 000011
【図９Ｂ】
2018097006.tif 000012
【図１０Ａ】
2018097006.tif 000013
【図１０Ｂ】
2018097006.tif 000014
【図１１】
2018097006.tif 000015
【図１２】
2018097006.tif 000016
【図１３】
2018097006.tif 000017
【図１４】
2018097006.tif 000018
【図１５】
2018097006.tif 000019
【図１６】
2018097006.tif 000020
【図１７】
2018097006.tif 000021
【図１８】
2018097006.tif 000022
【図１９】
2018097006.tif 000023
【図２０】
2018097006.tif 000024